【手続補正書】
【提出日】平成26年1月15日(2014.1.15)
【手続補正１】
【補正対象書類名】特許請求の範囲
【補正対象項目名】全文
【補正方法】変更
【補正の内容】
【特許請求の範囲】
【請求項１】
コンピューターに方法を実行させるコンピューター実行可能命令が格納されている１つ以上のコンピューター読み取り可能媒体であって、前記方法が、
高ダイナミック・レンジ・ディジタル画像における複数のサンプルの各々を、それよりも低いそれぞれのダイナミック・レンジ値にトーン・マッピングするステップと、
前記トーン・マップ・サンプル値(tone-mapped sample value)の各々について、局所コントラスト値を計算するステップと、
前記トーン・マップ・サンプル値の各々について、残差信号を導き出すステップであって、前記それぞれの局所コントラスト値に少なくとも部分的に基づいて導き出す、ステップと、
前記トーン・マップ・サンプル値および前記それぞれの残差信号に少なくとも部分的に基づいて、より低いダイナミック・レンジ・ディジタル画像のサンプル値を計算するステップと、
を備えている、１つ以上のコンピューター読み取り可能媒体。
【請求項２】
請求項１記載のコンピューター読み取り可能媒体において、前記トーン・マッピングを行うステップが、
全域トーン・マッピング参照表を発生するステップと、
前記高ダイナミック・レンジ・ディジタル画像における複数のサンプル値の各々について、それよりも低いダイナミック・レンジ値を特定するステップと、
を備えており、前記特定するステップが、前記全域トーン・マッピング参照表において前記複数のサンプル値の各々を参照することを含む、コンピューター読み取り可能媒体。
【請求項３】
請求項２記載のコンピューター読み取り可能媒体において、前記全域トーン・マッピング参照表が、適応ガンマ関数に基づいて発生される、コンピューター読み取り可能媒体。
【請求項４】
請求項１記載のコンピューター読み取り可能媒体において、前記トーン・マップ・サンプル値の各々について前記残差信号を導き出すステップが、各トーン・マップ・サンプル値に前記それぞれの局所コントラスト値を乗算するステップを含む、コンピューター読み取り可能媒体。
【請求項５】
請求項１記載のコンピューター読み取り可能媒体において、前記方法が、更に、
前記残差信号の１つ以上にスケーリングを適用するステップを備えており、前記スケーリングが、前記それぞれの残差信号に対応するトーン・マップ・サンプル値の関数であるスケーリング係数を適用することを含む、コンピューター読み取り可能媒体。
【請求項６】
請求項１記載のコンピューター読み取り可能媒体において、前記より低いダイナミック・レンジ・ディジタル画像のサンプル値が、各々、トーン・マップ・サンプル値、残差信号、および高周波ディザリング信号を組み合わせることによって計算される、コンピューター読み取り可能媒体。
【請求項７】
請求項１記載のコンピューター読み取り可能媒体において、前記方法が、更に、
前記高ダイナミック・レンジ・ディジタル画像の解像度を落としたプレビュー・バージョンにおける前記複数のサンプル値の各々に対して、より低いダイナミック・レンジ値を特定するステップと、
前記低解像度プレビュー・バージョンにおける前記複数のサンプル値を、前記それぞれの特定された低ダイナミック・レンジ値にトーン・マッピングするステップと、
前記低解像度プレビュー・バージョンにおける前記トーン・マップ・サンプル値の各々について、局所コントラスト値を計算するステップと、
前記低解像度プレビュー・バージョンにおける前記トーン・マップ・サンプル値の各々について、残差信号を導き出すステップであって、前記それぞれの局所コントラスト値に少なくとも部分的に基づいて導き出すステップと、
前記低解像度プレビュー・バージョンにおける前記トーン・マップ・サンプル値の各々および前記それぞれの残差信号に少なくとも部分的に基づいて、プレビュー画像のサンプル値を計算するステップと、
を備えている、コンピューター読み取り可能媒体。
【請求項８】
１つ以上のプロセッサーおよび１つ以上の記憶媒体を備えている計算機であって、前記１つ以上の記憶媒体が、ユーザー好み情報に基づいて高ダイナミック・レンジ画像をレンダリングする方法を、前記計算機に実行させるコンピューター実行可能命令を格納しており、前記方法が、
高ダイナミック・レンジ画像レンダリング・パラメーターを設定するために、１つ以上のユーザー好み制御部を設けるステップと、
ユーザーと関連のあるユーザー好み情報を、前記ユーザー好み制御部から受け取るステップであって、前記ユーザー好み情報が、高ダイナミック・レンジ・ディジタル画像を収容する高ダイナミック・レンジ・ディジタル画像ファイルに対する高ダイナミック・レンジ・レンダリング・パラメーターに対応する、ステップと、
前記ユーザー好み情報に少なくとも部分的に基づいて、前記高ダイナミック・レンジ・ディジタル画像をレンダリングするステップと、
を備えており、前記レンダリングするステップが、
複数のトーン・マップ・サンプル値の各々について、局所コントラスト値を計算するステップと、
前記複数のトーン・マップ・サンプル値の各々について、残差信号を導き出すステップであって、前記それぞれの局所コントラスト値に少なくとも部分的に基づいて導き出す、ステップと、
前記複数のトーン・マップ・サンプル値および前記それぞれの残差信号に少なくとも部分的に基づいて、より低いダイナミック・レンジ・ディジタル画像のサンプル値を計算するステップと、
を備えている、計算機。
【請求項９】
コンピューター・システムにおいて、高ダイナミック・レンジ・ディジタル画像を発生する方法であって、
シーンを描写する１組の複数のディジタル画像において、基準画像に対する動き分析を行うステップであって、前記動き分析が、前記１組の中にある１つ以上の非基準画像の各々について、前記基準画像に対する画像差を判定することを含む、ステップと、
前記動き分析に少なくとも部分的に基づいて、非基準画像毎に、前記基準画像に対する１つ以上の相対的露出レベルを導き出すステップと、
前記１つ以上の相対的露出レベルに少なくとも部分的に基づいて、前記シーンを描写する高ダイナミック・レンジ・ディジタル画像を形成するために、前記１組の複数のディジタル画像を統合するステップと、
を備えている、方法。
【請求項１０】
請求項９記載の方法であって、更に、
前記１つ以上の相対的露出レベルに少なくとも部分的に基づいて、各非基準画像におけるサンプル値を正規化レベルにスケーリングするステップを備えておあり、
前記統合が、前記高ダイナミック・レンジ・ディジタル画像における各サンプル位置について、前記基準画像における前記サンプル位置に対応するサンプル値の加重平均と、各非基準画像における前記サンプル位置に対応する、スケーリングされたサンプル値とを計算することを含む、方法。
【請求項１１】
請求項９記載の方法であって、更に、
１組の候補画像の内どの画像が、容認可能な露出範囲に該当するサンプル値をより多く有するか判定することによって、前記１組の候補画像から前記基準画像を選択するステップを備えている、方法。
【請求項１２】
請求項９記載の方法において、前記動き検出が、前記基準画像に対する画像差を判定するために、正規化相互相関を使用することを含む、方法。
【請求項１３】
請求項９記載の方法において、前記動き検出が、前記基準画像に対する画像差を判定するために、非基準画像におけるサンプル値の部分集合を選択するステップを含み、前記部分集合が、前記サンプル値がある範囲の露出値に該当するか否かに基づいて選択される、方法。
【請求項１４】
請求項９記載の方法において、前記動き検出が、全域的動き検出、およびその後に続く局所的動き検出を含む、方法。
【請求項１５】
請求項９記載の方法において、前記１つ以上の相対的露出レベルが、各々、それぞれの非基準画像に対する平均サンプル比に基づいて導き出される、方法。